(57)【特許請求の範囲】
【請求項１】
臭気除去の対象となる領域の内部を加湿する加湿装置と、
前記加湿装置により前記領域の内部が加湿された後に前記領域の内部の臭気を除去する臭気除去装置と、
を備え、
前記加湿装置は、
脱衣所と洗面所と浴室とのうちの少なくとも１つと前記領域とをつなぐ搬送ダクトと、
前記脱衣所と前記洗面所と前記浴室とのうちの少なくとも１つから前記搬送ダクトを介して前記領域の内部へ加湿された空気を搬送する搬送ファンと、
を備え、
前記臭気除去装置は、前記領域の内部の空気を前記搬送ダクトに戻すことなく前記領域の外部へ排出することにより前記領域の内部を負圧にした上で、前記領域の内部の臭気を除去し、前記領域の内部を除湿する臭気除去システム。
【請求項２】
前記領域の内部の臭気濃度を検知する臭気濃度センサ、
を備え、
前記加湿装置は、前記臭気濃度センサにより検知された臭気濃度が予め設定された臭気濃度以上の臭気濃度の場合に動作する請求項１に記載の臭気除去システム。
【請求項３】
前記領域の内部に存在する人物を検知する人物センサ、
を備え、
前記加湿装置は、前記人物センサにより人物が検知された場合に動作する請求項１に記載の臭気除去システム。
【請求項４】
前記加湿装置による加湿時に前記領域の内部を加温する加温装置、
を備えた請求項１から請求項３のいずれか一項に記載の臭気除去システム。
【請求項５】
前記加湿装置による加湿時または加湿後にオゾンまたは消臭剤を前記領域の内部に噴霧する噴霧装置、
を備えた請求項１から請求項３のいずれか一項に記載の臭気除去システム。
【請求項６】
前記加湿装置による加湿時に前記領域の内部を加温する加温装置と、
前記加湿装置による加湿時または加湿後にオゾンまたは消臭剤を前記領域の内部に噴霧する噴霧装置と、
を備えた請求項１から請求項３のいずれか一項に記載の臭気除去システム。
【請求項７】
前記加湿装置と前記臭気除去装置とは、操作端末による設定に基づいて動作する請求項１から請求項３のいずれか一項に記載の臭気除去システム。
【請求項８】
前記加湿装置と前記臭気除去装置と前記加温装置とは、操作端末による設定に基づいて動作する請求項４に記載の臭気除去システム。
【請求項９】
前記加湿装置と前記臭気除去装置と前記噴霧装置とは、操作端末による設定に基づいて動作する請求項５に記載の臭気除去システム。
【請求項１０】
前記加湿装置と前記臭気除去装置と前記加温装置と前記噴霧装置とは、操作端末による設定に基づいて動作する請求項６に記載の臭気除去システム。
【発明の詳細な説明】
【技術分野】
【０００１】
この発明は、臭気除去システムに関する。
【背景技術】
【０００２】
特許文献１は、臭気除去システムを開示する。当該臭気除去システムにおいては、空気中の臭気物質が空気流により天井材の表面に付着し得る。当該臭気物質は、可視光型光触媒で分解し得る。
【先行技術文献】
【特許文献】
【０００３】
【特許文献１】特開２００６−２６５９６９号公報
【発明の概要】
【発明が解決しようとする課題】
【０００４】
しかしながら、臭気除去の対象となる領域の内部においては、家具、電化製品等、様々なものが配置される。このため、臭気物質を天井に導きにくい。その結果、当該領域の内部の臭気を確実に除去することができない。
【０００５】
この発明は、上述の課題を解決するためになされた。この発明の目的は、臭気除去の対象となる領域の内部の臭気を確実に除去できる臭気除去システムを提供することである。
【課題を解決するための手段】
【０００６】
この発明に係る臭気除去システムは、臭気除去の対象となる領域の内部を加湿する加湿装置と、前記加湿装置により前記領域の内部が加湿された後に前記領域の内部の臭気を除去する臭気除去装置と、を備え、前記加湿装置は、脱衣所と洗面所と浴室とのうちの少なくとも１つと前記領域とをつなぐ搬送ダクトと、前記脱衣所と前記洗面所と前記浴室とのうちの少なくとも１つから前記搬送ダクトを介して前記領域の内部へ加湿された空気を搬送する搬送ファンと、を備え、前記臭気除去装置は、前記領域の内部の空気を前記搬送ダクトに戻すことなく前記領域の外部へ排出することにより前記領域の内部を負圧にした上で、前記領域の内部の臭気を除去し、前記領域の内部を除湿する。
【発明の効果】
【０００７】
この発明によれば、加湿装置により加湿された後に臭気除去装置により臭気が除去される。このため、臭気除去の対象となる領域の内部の臭気を確実に除去できる。
【図面の簡単な説明】
【０００８】
【図１】この発明の実施の形態１における臭気除去システムの構成図である。
【図２】この発明の実施の形態１における臭気除去システムの動作の第１例を説明するためのフローチャートである。
【図３】この発明の実施の形態１における臭気除去システムの動作の第２例を説明するためのフローチャートである。
【図４】この発明の実施の形態２における臭気除去システムを適用した住宅の平面図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。各構成の大きさの関係は、実際と異なる場合もある。
【００１０】
実施の形態１．
図１はこの発明の実施の形態１における臭気除去システムの構成図である。
【００１１】
例えば、臭気除去システムは、住居に設けられる。例えば、臭気除去システムは、加湿装置１と加温装置２と噴霧装置３と臭気除去装置４とセンサ群５と操作端末６と宅内ネットワーク７とを備える。
【００１２】
例えば、加湿装置１は、図示しないタンクに水道水を貯蔵する。例えば、加湿装置１は、水道に接続された状態で常時水の供給を受ける。例えば、加湿装置１は、超音波または加熱により加湿された空気を臭気除去の対象となる領域の内部に放出する。例えば、加湿装置１は、図示しない気化フィルタを水で濡らして風を送ることにより加湿された空気を臭気除去の対象となる領域の内部に放出する。
【００１３】
例えば、加温装置２は、ルームエアコンからなる。例えば、加温装置２は、ファンヒータからなる。加温装置２は、臭気除去の対象となる領域の内部を加温する。例えば、噴霧装置３は、臭気除去の対象となる領域の内部にオゾンを噴霧する。例えば、噴霧装置３は、臭気除去の対象となる領域の内部に消臭剤を噴霧する。
【００１４】
例えば、臭気除去装置４は、換気装置からなる。換気装置は、図示しない送風ダクトと図示しない送風機とを備える。送風ダクトと送風機とは、臭気除去の対象となる領域を区画する天井または壁に設けられる。
【００１５】
臭気除去装置４は、臭気除去の対象となる領域の内部から外部へ空気を排出することにより当該領域の内部を負圧にする。臭気除去装置４は、図示しない給気口を備えることもある。当該給気口は、図示しないシャッターを備えることもある。この際、送風機が動作すると、当該領域の外部の空気が当該領域の内部に取り入れられる。当該空気の量は、当該領域の内部から外部に排出される空気の量よりも少ない。その結果、当該領域の内部は、負圧に維持される。
【００１６】
センサ群５は、臭気濃度センサ５ａと湿度センサ５ｂと温度センサ５ｃと人物センサ５ｄとを備える。例えば、センサ群５は、単体の装置として設けられる。例えば、センサ群５は、加湿装置１等の他の装置の一部として設けられる。
【００１７】
臭気濃度センサ５ａは、臭気除去の対象となる領域の内部の臭気濃度を検知する。湿度センサ５ｂは、臭気除去の対象となる領域の内部の湿度を検知する。温度センサ５ｃは、臭気除去の対象となる領域の内部の温度を検知する。人物センサ５ｄは、臭気除去の対象となる領域の内部に存在する人物を検知する。例えば、人物センサ５ｄは、赤外線センサにより人物を検知する。例えば、人物センサ５ｄは、人感センサにより人物を検知する。例えば、人物センサ５ｄは、カメラにより人物を検知する。例えば、人物センサ５ｄは、住居の機器の消費電力により人物を検知する。例えば、人物センサ５ｄは、住居の機器の通信信号により人物を検知する。例えば、人物センサ５ｄは、住居の証明の照度により人物を検知する。例えば、人物センサ５ｄは、スマートフォンの位置情報により人物を検知する。
【００１８】
操作端末６は、入力部と表示部とを有する通信機器である。例えば、操作端末６は、加湿装置１等の他の装置の操作ボタン、リモコン、壁付モニタ、携帯電話、スマートフォン、タブレット、パソコン、テレビ等である。操作端末６の入力部は、使用者のスケジュールの入力と臭気を除去する際の加湿装置１等の設定の入力とを受け付ける。操作端末６の表示部は、操作に関する情報と入力された情報と加湿装置１等の動作状況に関する情報とを適宜表示する。
【００１９】
例えば、宅内ネットワーク７は、有線ＬＡＮである。例えば、宅内ネットワーク７は、無線ＬＡＮである。宅内ネットワーク７は、加湿装置１と加温装置２と噴霧装置３と臭気除去装置４とセンサ群５と操作端末６とに接続される。宅内ネットワーク７は、インターネット８を介して住居の外部のクラウドサーバ９に接続される。このため、操作端末６は、住居の外部に持ち出された場合でもインターネット８を介してクラウドサーバ９に蓄積された情報に基づいて宅内ネットワーク７と加湿装置１と加温装置２と噴霧装置３と臭気除去装置４とセンサ群５と通信し得る。
【００２０】
加湿装置１と加温装置２と噴霧装置３と臭気除去装置４とは、操作端末６の入力部に入力された設定に基づいて動作する。例えば、加湿装置１と加温装置２と噴霧装置３と臭気除去装置４とは、臭気除去の対象となる領域の内部に人物が存在しない場合に動作を開始する。例えば、加湿装置１と加温装置２と噴霧装置３と臭気除去装置４とは、調理後または食事後に動作を開始する。例えば、加湿装置１と加温装置２と噴霧装置３と臭気除去装置４とは、予め設定された時間に動作を開始する。例えば、加湿装置１と加温装置２と噴霧装置３と臭気除去装置４とは、使用者のスケジュールに基づいて動作を開始する。例えば、加湿装置１と加温装置２と噴霧装置３と臭気除去装置４とは、臭気除去の対象となる領域の内部の臭気濃度が予め設定された臭気濃度以上の臭気濃度の場合に動作を開始する。
【００２１】
次に、図２を用いて、臭気除去システムの動作の第１例を説明する。
図２はこの発明の実施の形態１における臭気除去システムの動作の第１例を説明するためのフローチャートである。
【００２２】
ステップＳ１では、加湿装置１は、開始条件が操作端末６により設定されたか否かを判定する。
【００２３】
ステップＳ１で開始条件が操作端末６により設定されていない場合は、ステップＳ１が繰り返される。ステップＳ１で開始条件が操作端末６により設定されている場合は、ステップＳ２に進む。
【００２４】
ステップＳ２では、加湿装置１は、開始条件が満たされているか否かを判定する。例えば、開始条件が臭気除去の対象となる領域の内部に人物が存在しないことの場合、加湿装置１は、人物センサ５ｄが人物を検知しているか否かを判定する。ステップＳ２で開始条件が満たされていない場合は、ステップＳ２が繰り返される。ステップＳ２で開始条件が満たされている場合は、ステップＳ３に進む。
【００２５】
ステップＳ３では、加湿装置１は、加湿運転を行う。その後、ステップＳ４に進む。ステップＳ４では、臭気除去装置４は、湿度センサ５ｂにより検知された湿度が予め設定された湿度以上の湿度か否かを判定する。例えば、基準となる湿度は、操作端末６への操作により設定される。例えば、基準となる湿度は、７０％以上の相対湿度に予め設定される。
【００２６】
ステップＳ４で湿度センサ５ｂにより検知された湿度が予め設定された湿度未満の湿度の場合は、ステップＳ３に戻る。ステップＳ４で湿度センサ５ｂにより検知された湿度が予め設定された湿度以上の湿度の場合は、ステップＳ５に進む。
【００２７】
ステップＳ５では、臭気除去装置４は、換気運転を行う。給気口にシャッターがある場合は、当該シャッターが連動して開く。その後、ステップＳ６に進む。ステップＳ６では、臭気除去装置４は、湿度センサ５ｂにより検知された湿度が予め設定された湿度未満の湿度か否かを判定する。例えば、基準となる湿度は、操作端末６への操作により設定される。例えば、基準となる湿度は、加湿装置１が動作を開始する前の相対湿度に設定される。
【００２８】
ステップＳ６で湿度センサ５ｂにより検知された湿度が予め設定された湿度以上の湿度の場合は、ステップＳ５に戻る。ステップＳ６で湿度センサ５ｂにより検知された湿度が予め設定された湿度未満の湿度の場合は、動作が終了する。
【００２９】
次に、図３を用いて、臭気除去システムの動作の第２例を説明する。
図３はこの発明の実施の形態１における臭気除去システムの動作の第２例を説明するためのフローチャートである。
【００３０】
ステップＳ１１では、加湿装置１は、開始条件が操作端末６により設定されたか否かを判定する。
【００３１】
ステップＳ１１で開始条件が操作端末６により設定されていない場合は、ステップＳ１１が繰り返される。ステップＳ１１で開始条件が操作端末６により設定されている場合は、ステップＳ１２に進む。
【００３２】
ステップＳ１２では、加湿装置１は、臭気濃度センサ５ａにより検知された臭気濃度が予め設定された臭気濃度以上の臭気濃度か否かを判定する。例えば、基準となる臭気濃度は、６段階臭気強度表示法の基準に基づいて設定される。例えば、基準となる臭気濃度は、６段階臭気強度表示法における臭気強度「５」（強烈なにおい）に対応した臭気濃度に設定される。
【００３３】
ステップＳ１２で臭気濃度センサ５ａにより検知された臭気濃度が予め設定された臭気濃度未満の臭気濃度の場合は、ステップＳ１２が繰り返される。ステップＳ１２で臭気濃度センサ５ａにより検知された臭気濃度が予め設定された臭気濃度以上の臭気濃度の場合は、ステップＳ１３に進む。
【００３４】
ステップＳ１３では、加湿装置１は、加湿運転を行う。その後、ステップＳ１４に進む。ステップＳ１４では、臭気除去装置４は、湿度センサ５ｂにより検知された湿度が予め設定された湿度以上の湿度か否かを判定する。例えば、基準となる湿度は、操作端末６への操作により設定される。例えば、基準となる湿度は、７０％以上の相対湿度に予め設定される。
【００３５】
ステップＳ１４で湿度センサ５ｂにより検知された湿度が予め設定された湿度未満の湿度の場合は、ステップＳ１３に戻る。ステップＳ１４で湿度センサ５ｂにより検知された湿度が予め設定された湿度以上の湿度の場合は、ステップＳ１５に進む。
【００３６】
ステップＳ１５では、臭気除去装置４は、換気運転を行う。給気口にシャッターがある場合は、当該シャッターが連動して開く。その後、ステップＳ１６に進む。ステップＳ１６では、臭気濃度センサ５ａにより検知された臭気濃度が予め設定された臭気濃度未満の臭気濃度か否かを判定する。例えば、基準となる臭気濃度は、操作端末６への操作により設定される。例えば、基準となる臭気濃度は、加湿装置１が動作を開始する前の臭気濃度に設定される。
【００３７】
ステップＳ１６で臭気濃度センサ５ａにより検知された臭気濃度が予め設定された臭気濃度以上の臭気濃度の場合は、ステップ１３に戻る。ステップＳ１６で臭気濃度センサ５ａにより検知された臭気濃度が予め設定された臭気濃度未満の臭気濃度の場合は、動作が終了する。
【００３８】
以上で説明した実施の形態１によれば、加湿装置１により加湿された後に臭気除去装置４により臭気が除去される。このため、臭気除去の対象となる領域の天井と壁と床面とに付着した臭気を除去することができる。
【００３９】
また、臭気除去装置４は、臭気除去の対象となる領域の内部を負圧にする。このため、臭気除去の対象となる領域の天井と壁と床面とに付着した臭気を除去しやすくすることができる。その結果、脱臭効果を高めることができる。
【００４０】
また、臭気の除去は、臭気濃度センサ５ａにより検知された臭気濃度が予め設定された臭気濃度以上の臭気濃度の場合に行われる。このため、必要時のみに臭気の除去を行うことができる。
【００４１】
また、臭気の除去は、人物センサ５ｄにより人物が検知された場合に行われる。このため、必要時のみに臭気の除去を行うことができる。
【００４２】
なお、臭気除去の対象となる領域の内部において、加湿装置１による加湿と同時に加温装置２による加温を行ってもよい。この場合、臭気除去の対象となる領域の天井と壁と床面とに付着した臭気を除去しやすくすることができる。その結果、脱臭効果を高めることができる。
【００４３】
また、臭気除去の対象となる領域の内部において、加湿装置１による加湿と同時または加湿後に噴霧装置３によるオゾンまたは消臭剤の噴霧を行ってもよい。これらの設定は、用途に応じて操作端末６で行えばよい。この場合、利用者の利便性を向上しつつ、臭気を除去する性能を向上することができる。
【００４４】
また、臭気を除去するために、臭気を吸着したり分解したりする脱臭機能を備えた空気清浄装置を用いてもよい。この際、加湿後の除湿のために、水分を吸着する機能を備えた除湿装置を用いればよい。この場合も、臭気除去の対象となる領域の天井と壁と床面とに付着した臭気を除去することができる。
【００４５】
また、加湿装置１と加温装置２と噴霧装置３と臭気除去装置４との動作の組み合わせは、操作端末６に用意された設定メニューに基づいて設定してもよい。この場合、利用者の利便性を向上しつつ、臭気を除去する性能を向上することができる。
【００４６】
また、臭気の除去後に香りを噴霧してもよい。この場合、臭気除去の対象となる領域の内部をより快適な空間にすることができる。
【００４７】
実施の形態２．
図４はこの発明の実施の形態２における臭気除去システムを適用した住居の平面図である。
【００４８】
図４において、住居は、リビングＬとダイニングＤとキッチンＫと脱衣所１０と洗面所１１と浴室１２とを備える。リビングＬとダイニングＤとキッチンＫとは一体的に形成される。脱衣所１０と洗面所１１と浴室１２とは、連続的に形成される。脱衣所１０と洗面所１１と浴室１２とは、リビングＬとダイニングＤとキッチンＫとは離れて形成される。
【００４９】
加湿装置１は、搬送ダクト１ａと搬送ファン１ｂとを備える。搬送ダクト１ａは、天井に埋め込まれる。搬送ダクト１ａは、脱衣所１０と洗面所１１と浴室１２とのうちの少なくとも一つとリビングＬとダイニングＤとキッチンＫとをつなぐ。搬送ファン１ｂは、搬送ダクト１ａの長手方向の中央に内蔵される。臭気除去装置４は、ダイニングＤの壁に設けられる。
【００５０】
実施の形態２において開始条件が満たされると、搬送ファン１ｂが動作する。その結果、搬送ファン１ｂは、脱衣所１０と洗面所１１と浴室１２とのうちの少なくとも１つから搬送ダクト１ａを介してリビングＬとダイニングＤとキッチンＫとの内部へ空気を搬送する。当該空気の湿度は、リビングＬとダイニングＤとキッチンＫとの内部に既にあった空気の湿度よりも高い。その結果、リビングＬとダイニングＤとキッチンＫとの内部は加湿される。
【００５１】
以上で説明した実施の形態２によれば、搬送ファン１ｂは、脱衣所１０と洗面所１１と浴室１２とのうちの少なくとも１つから搬送ダクト１ａを介してリビングＬとダイニングＤとキッチンＫとの内部へ空気を搬送する。このため、臭気除去のためだけに水を用意する必要をなくすことができる。
【００５２】
なお、脱衣所１０と洗面所１１と浴室１２とのうちの少なくとも１つの内部の湿度を検知する湿度センサの検知結果に基づいてリビングＬとダイニングＤとキッチンＫとの内部の湿度を調整してもよい。
【００５３】
実施の形態１および実施の形態２の臭気除去システムにおいては、調理臭、タバコ臭等の臭気が天井、壁、床面、家具等に付着しても、加湿、加温により、付着した臭気を脱離させることができる。さらに、換気装置、空気清浄装置により、臭気を除去することができる。その結果、リビング環境を良好に維持することができる。壁紙、家等の長寿命化を図ることができる。
【００５４】
特に、近年の高気密および高断熱の住宅においては、室内で発生した臭気が屋外に逃げにくい。その結果、室内で発生した臭気の多くが天井、壁、床面、家具等に付着する。ため、実施の形態１および実施の形態２の臭気除去システムを高気密および高断熱の住宅に適用すれば、高い脱臭効果を得ることができる。
【００５５】
なお、実施の形態１および実施の形態２の臭気除去システムをオフィス、店舗等に適用してもよい。これらの場合も、臭気除去の対象となる領域の天井と壁と床面とに付着した臭気を除去することができる。
【符号の説明】
【００５６】
１  加湿装置、  １ａ  搬送ダクト、１ｂ  搬送ファン、  ２  加温装置、  ３  噴霧装置、  ４  臭気除去装置、  ５  センサ群、  ５ａ  臭気濃度センサ、  ５ｂ  湿度センサ、  ５ｃ  温度センサ、  ５ｄ  人物センサ、  ６  操作端末、  ７  宅内ネットワーク、  ８  インターネット、  ９  クラウドサーバ、  １０  脱衣所、  １１  洗面所、  １２  浴室
【図１】
0006287965.tif 000002
【図２】
0006287965.tif 000003
【図３】
0006287965.tif 000004
【図４】
0006287965.tif 000005